(57)【要約】【課題】汚水タンクに形成された排水口を開閉する蓋体の操作が簡単となる蓋構造体を備えた塵芥収集車の汚水タンク構造を提供する。【解決手段】塵芥投入箱に設けられた汚水タンク４と、この汚水タンク４に形成された排水口５を開閉するために当該汚水タンク４の側壁面６に取り付けられた蓋体１０を有する蓋構造体７とを備えている。この蓋構造体７は一体状の係合部材１２と作動部材１３を有する。係合部材１２は、汚水タンク４に回動自在に取り付けられ、蓋体１０と係合して当該蓋体１０が開くのを規制する係合位置と蓋体１０との係合が解ける開放位置との間で回動可能とされている。蓋体１０の閉動作により蓋体１０が作動部材１３に接触することで、作動部材１３は係合部材１２を開放位置から係合位置へ回動させる。【選択図】      図２
2006298511.tif 000002
【特許請求の範囲】
【請求項１】
塵芥収容箱又はその後方の塵芥投入箱に設けられた汚水タンクと、この汚水タンクに形成された排水口を開閉するために当該汚水タンクの壁面に取り付けられた蓋体を有する蓋構造体とを備え、
この蓋構造体は、
前記汚水タンクの壁面に回動自在に取り付けられ、前記蓋体の一部と係合して当該蓋体が開くのを規制する係合位置と前記蓋体の前記一部との係合が解ける開放位置との間で回動可能な係合部材と、
前記蓋体の閉動作により当該蓋体と接触することで前記係合部材を前記開放位置から前記係合位置へ回動させる作動部材と、
前記係合位置にある前記係合部材の回動を規制可能としている固縛部材と、
を有することを特徴とする塵芥収集車の汚水タンク構造。
【請求項２】
前記係合部材は、閉状態にある前記蓋体を開くことにより当該蓋体に押されて当該係合部材を前記係合位置から前記開放位置に回動させる当接面を有している請求項１に記載の塵芥収集車の汚水タンク構造。
【請求項３】
前記作動部材と前記係合部材とは同一部材から構成されている請求項１又は２に記載の塵芥収集車の汚水タンク構造。
【発明の詳細な説明】
【技術分野】
【０００１】
この発明は、塵芥収集車が備えている塵芥収容箱や塵芥投入箱内の塵芥による汚水を収容する汚水タンクの構造に関する。
【背景技術】
【０００２】
塵芥収集車が備えている塵芥収容箱又はその後方の塵芥投入箱の底部には汚水タンクが設けられており、この汚水タンク内に塵芥収容箱や塵芥投入箱内の塵芥から出る汚水を収容している。そして、溜まった汚水は、汚水タンクの壁面に設けられた排水口から外部へ排出される。汚水タンクは、排水口を開閉するための蓋体を有する蓋構造体を備えており、従来の蓋構造体としては例えば特許文献１に示しているようなものがある。
図６は特許文献１に記載された蓋構造体の平面図であり、この蓋構造体は、汚水タンク４０の側壁に一端側を中心として回動可能に取り付けられた蓋体４１と、蓋体４１の他端側近傍部において汚水タンク４０の側壁に回動可能に取り付けられた押圧部材４２と、蓋体４１の外側面に回動可能に取り付けられたレバー４３と、一端部がレバー４３に取り付けられ他端部が押圧部材４２に係合して押圧部材４２の動作を拘束可能としている固縛アーム４４とを備えている。そして、押圧部材４２に係止部材４５が設けられており、蓋体４１が閉状態で、この係止部材４５が蓋体４１の他端側に設けられたピン４６に係合し、固縛アーム４４が押圧部材４２を拘束することにより、閉状態にある蓋体４１が勝手に開いてしまうのを防いでいる。
【０００３】
この蓋体４１を開くためには次の操作が行われる。図６の閉状態から（Ａ）レバー４３を起立させる方向（矢印方向）に回動させて固縛アーム４４と押圧部材４２との係合を解除する。（Ｂ）レバー４３をさらに引っ張ることで、蓋体４１のピン４６が係止部材４５（押圧部材４２）を押して押圧部材４２を回動させ、自動的にピン４６と係止部材４５との間の係合が解除され、蓋体４１が開く。
一方、開状態にある蓋体４１を閉じるためには次の操作が行われる。（ａ）蓋体４１を閉状態にする。（ｂ）押圧部材４２を回動させて係止部材４５を蓋体４１のピン４６に係合させる。（ｃ）固縛アーム４４を押圧部材４２に係合させる。（ｄ）レバー４３を蓋体４１側へ倒す。これにより、固縛アーム４４が押圧部材４２を拘束し、押圧部材４２の係止部材４５が蓋体４１のピン４６を押さえ、蓋体４１が閉状態でロックされる。
【０００４】
【特許文献１】実開平５−３０００６号公報（図３）
【発明の開示】
【発明が解決しようとする課題】
【０００５】
しかし、特許文献１に示している従来の構造では、蓋体４１を開ｂスめにはレバー４３を引く操作のみで簡単に行えるが、閉じる操作は、係止部材４５を蓋体４１のピン４６に係合させる手動操作（上記（ｂ））と、固縛アーム４４を押圧部材４２に係合させる手動操作（上記（ｃ））と、レバー４３を倒す手動操作（上記（ｄ））が必要となる。つまり、押圧部材４２と固縛アーム４４とをそれぞれ個別に直接手で持って回動させて相手側部材に係合させる操作が必要となり、操作が煩雑であるという問題点を有している。
そこで、上記のような従来の問題点に鑑み、本発明は、蓋体の操作が簡単となる蓋構造体を備えた塵芥収集車の汚水タンク構造を提供することを目的とする。
【課題を解決するための手段】
【０００６】
本発明の塵芥収集車の汚水タンク構造は、塵芥収容箱又はその後方の塵芥投入箱に設けられた汚水タンクと、この汚水タンクに形成された排水口を開閉するために当該汚水タンクの壁面に取り付けられた蓋体を有する蓋構造体とを備え、この蓋構造体は、前記汚水タンクの壁面に回動自在に取り付けられ、前記蓋体の一部と係合して当該蓋体が開くのを規制する係合位置と前記蓋体の前記一部との係合が解ける開放位置との間で回動可能な係合部材と、前記蓋体の閉動作により当該蓋体と接触することで前記係合部材を前記開放位置から前記係合位置へ回動させる作動部材と、前記係合位置にある前記係合部材の回動を規制可能としている固縛部材とを有するものである。
【０００７】
上記のように構成された塵芥収集車の汚水タンク構造では、開状態にある蓋体を閉じれば、その蓋体が作動部材に接触して作動部材が係合部材を開放位置から係合位置へ自動的に回動させ、係合部材は蓋体と係合して蓋体が開くのを規制することができる。つまり、蓋体を閉める際、係合部材を直接手で持って回動させて蓋体に係合させる手動操作を不要として、蓋体を閉状態とすることができる。さらに、固縛部材により係合位置にある係合部材の回動を規制することで、蓋体は閉状態で固定される。
【０００８】
また、前記係合部材は、閉状態にある前記蓋体を開くことにより当該蓋体に押されて当該係合部材を前記係合位置から前記開放位置に回動させる当接面を有しているのが好ましい。この構成によれば、固縛部材が係合部材の回動を許容する状態として、蓋体を開ければ、蓋体が係合部材の前記当接面を押して係合部材を自動的に係合位置から開放位置へ回動させる。つまり、蓋体を開ける際、係合部材を直接手で持って回動させる手動操作を不要として、蓋体を開けることができる。
【０００９】
また、前記作動部材と前記係合部材とは同一部材から構成されているのが好ましい。この構成によれば、部品点数を減らすことができ、構成を簡素化できる。
【発明の効果】
【００１０】
本発明の塵芥収集車の汚水タンク構造によれば、開状態にある蓋体を閉じることにより、作動部材が係合部材を自動的に回動させて、係合部材を蓋体が開くのを規制できる係合位置に位置させることができ、蓋体を閉じる操作が簡単となる。
【発明を実施するための最良の形態】
【００１１】
以下、この発明の実施の形態について図面を参照しながら説明する。
図１は、本発明の一実施例による汚水タンク構造を備えた塵芥収集車の後部を示す側断面図である。この図において、塵芥収集車１は、塵芥収容箱２と、その後方に連設されている塵芥投入箱３とを備えている。塵芥投入箱３の後部には、塵芥が投入される投入口３ａと、上下にスライドしてこの投入口３ａを開閉する蓋３ｂとが設けられている。また、塵芥投入箱３の前部には、塵芥を塵芥収容箱２に積み込むための開口部３ｄが設けられている。そして、塵芥投入箱３内に、投入された塵芥を塵芥収容箱２に積み込むための積み込み装置８が設けられている。
【００１２】
塵芥投入箱３は、その下部において汚水タンク４が設けられている。汚水タンク４は、塵芥収容箱２又は塵芥投入箱３或いは双方内の塵芥から出る汚水を収容するためのものである。汚水タンク４に収容された汚水を外部へ排出させるための排水口５が汚水タンク４の側壁面６に形成されており、この排水口５を開閉するための蓋体１０を有する蓋構造体７が汚水タンク４の側壁面６に設けられている。
【００１３】
図２は、蓋体１０が排水口５に対して閉じた状態にある蓋構造体７を示している図であり、図３は、蓋体１０が開いた状態（中間開度の状態）にある蓋構造体７を示している図である。この汚水タンク４に設けられている蓋構造体７は、蓋体１０と、汚水タンク４の側壁面６に回動自在に取り付けられている係合部材１２と、この係合部材１２の回動を規制可能としている固縛部材１４とを有している。そして、係合部材１２を回動させるための作動部材１３が、この係合部材１２と一体として形成されている（機能の違いから別部材のように表現するものとする）。
この蓋構造体７は、図２に示しているように閉じた状態にある蓋体１０をそのまま維持させることができる。つまり、閉状態にある蓋体１０を係合部材１２が拘束し、この係合部材１２が固縛部材１４によって固定されることで、蓋体１０が勝手に開いてしまうのを防止している。なお、固縛部材１４は蓋体１０を開閉操作するためのレバー部材２３に回動可能に取り付けられており、固縛部材１４が有する後述の弾性機能により、レバー部材２３と固縛部材１４は、固縛部材１４が係合部材１２を固定した状態（図２の状態）に安定保持できる。
【００１４】
蓋体１０は、汚水タンク４の側壁面６に形成されている排水口５を覆う蓋本体部１６と、蓋本体部１６の背面側（外部側）に取り付けられている開閉アーム１７とを有している。蓋本体部１６は、貫通孔状の排水口５よりも大きい輪郭形状を持つよう構成されており、蓋本体部１６の外縁部には排水口５の外側の側壁面６に接触して汚水タンク４内の汚水の漏洩を防止するためのシール部材１８が設けられている。開閉アーム１７は断面Ｕ字型（図４参照）の直線状の部材とされており、開閉アーム１７は蓋本体部１６の中央部において連結部材１９を介して取り付けられている。
【００１５】
図４は汚水タンク４における蓋体１０の取付部を示す図である。図２〜図４に示しているように、蓋体１０の開閉アーム１７はその一端部において汚水タンク４の側壁面６に固定した取付部材２０に回動可能に取り付けられており、蓋体１０は取付部材２０の軸２０ａの中心線（軸心）２０ｂ回りに回動可能とされている。開閉アーム１７は、その他端部に前記係合部材１２と接触できる当接部が形成されており、図２と図３では、当接部が断面円形のピン１１とされている。このピン１１の中心線は蓋体１０の回動中心線（つまり前記軸２０ａの中心線）２０ｂと平行となるようされている。
【００１６】
蓋体１０の開閉アーム１７には、蓋体１０の開閉操作をするためのレバー部材２３が取り付けられている。レバー部材２３は、先端部側に握り部２４を有しており、開閉アーム１７の背面側に固定したブラケット２５に回動可能として取り付けられている。レバー部材２３は、その基端部２３ａを中心として回動可能とされており、レバー部材２３の回動中心線は、開閉アーム１７の回動中心線２０ｂに平行となるようされている。レバー部材２３が開閉アーム１７側に倒れた状態（図２の実線で示した状態）から、レバー部材２３を起立させて（図２の２点鎖線で示した状態）蓋体１０を開けることができる。
【００１７】
このレバー部材２３の中間部に前記固縛部材１４が回動可能として取り付けられている。固縛部材１４は、その基端部１４ａを中心として回動可能とされており、固縛部材１４の回動中心線は、開閉アーム１７の回動中心線２０ｂに平行となるようされている。固縛部材１４は直線状の部材であり、先端部は前記係合部材１２と係脱可能な係合部１４ｂとされている。レバー部材２３が開閉アーム１７側に倒れた状態で、固縛部材１４の係合部１４ｂが前記係合部材１２に係合することができ、固縛部材１４は係合部材１２を固定状態にすることができる。レバー部材２３を起立させる方向（図２の矢印ｅ方向）に回動させると固縛部材１４と係合部材１２との係合が解除される。
【００１８】
レバー部材２３が開閉アーム１７側に倒れた状態（図２の状態）において、レバー部材２３と固縛部材１４は、固縛部材１４が係合部材１２を固定した状態に安定保持させることができる。具体的に説明すると、固縛部材１４は、前記係合部１４ｂと、この係合部１４ｂを固縛部材１４の基端部１４ａ方向に弾性的に引き寄せることができる（バネなどからなる）弾性部材１４ｄとを有している。つまり、固縛部材１４が長手方向の引っ張り力を受けると、固縛部材１４は前記弾性部材１４ｄの弾性力に抗して伸張することとなる。これにより、固縛部材１４の係合部１４ｂを係合部材１２に係合させて、レバー部材２３を（矢印ｅ方向と反対である）倒す方向へ回動させると、前記弾性部材１４ｄの弾性力に抗して固縛部材１４は伸張する。そして、レバー部材２３のこの回動により、固縛部材１４の先端部１４ｃ（係合部材１２との接点）と固縛部材１４の回動中心１４ｅとを結ぶ仮想直線（図示せず）上に、レバー部材２３のブラケット２５における回動中心１４ｆがあるとき、固縛部材１４は最も伸張された状態となる。そして、前記仮想直線が前記回動中心１４ｆを越えた状態（図２の状態）において、固縛部材１４は弾性部材１４ｄの弾性力に抗して伸張した状態にある。従って、レバー部材２３と固縛部材１４とは、この弾性部材１４ｄの弾性機能によりレバー部材２３をそのままの状態に維持させることができ、固縛部材１４が係合部材１２を固定した状態に安定保持させ、蓋体１０を閉状態に維持できる。これにより、塵芥車が走行して振動が生じても、蓋体１０が勝手に開くのを防止できる。
【００１９】
固縛部材１４はレバー部材２３に摩擦抵抗を有するよう取り付けられてもよい。この場合の摩擦抵抗は、固縛部材１４がその位置で姿勢を保持することができる程度の摩擦力とされている。これにより、蓋体１０が閉じられた状態でレバー部材２３を起立させる方向に回動させると、自動的に固縛部材１４と係合部材１２との係合が解かれるよう固縛部材１４は係合部材１２から離れ、図２の２点鎖線で示しているように、固縛部材１４は係合部材１２から離れた位置で待機する。
【００２０】
図５は汚水タンク４における係合部材１２の取付部を示す図であり、係合部材１２は、図２と図５に示しているように、閉状態にある蓋体１０が有している開閉アーム１７の一端部（先端部）の近傍部に対応するよう設けられており、係合部材１２は、汚水タンク４の側壁面６に固定した取付部材２１の軸２１ａの中心線（軸心）２１ｂ回りに回動可能に取り付けられている。係合部材１２の回動中心となるこの取付部材２１の軸２１ａの中心線２１ｂは、蓋体１０の前記ピン１１の中心線と平行になるようされている。
【００２１】
係合部材１２は、取付部材２１の軸２１ａの中心線２１ｂに直交する板状の部材であり、この係合部材１２のうち蓋体１０に近い側の部分に切り欠き部２２が形成されている。
そして、図２に示しているように、この係合部材１２が前記固縛部材１４により固定された状態とされ、かつ、この切り欠き部２２内に蓋体１０のピン１１が収容された状態となると、係合部材１２に形成された切り欠き部２２内の当接面１５と蓋体１０のピン１１とが係合した状態となり、蓋体１０を開けようとしても蓋体１０のピン１１が当接面１５に接触し、閉じられている蓋体１０を開けることができない。つまり、回動自在とされた係合部材１２を蓋体１０の先端部（ピン１１）に接近させる側に位置させた係合位置で、係合部材１２は蓋体１０が開くのを規制している。
【００２２】
係合部材１２と固縛部材１４との係合が解けた状態（図２の２点鎖線で示している状態）で蓋体１０を開けると、切り欠き部２２の当接面１５は蓋体１０のピン１１に押されて、図３に示しているように、係合部材１２は係合位置から開放位置に自動的に矢印ｇ方向へ回動される。この開放位置は、係合部材１２と蓋体１０のピン１１との係合が解けている位置であり、係合部材１２が蓋体１０から離れる方向へ倒れた位置である。
【００２３】
係合部材１２には固縛部材１４と係合させる係合部（凹部）２６が形成されている。この係合部２６は前記切り欠き部２２と反対側（蓋体１０に遠い側）において形成されており、この係合部２６に前記固縛部材１４の係合部１４ｂが係合する。固縛部材１４の係合部１４ｂは例えば孔部１４ｃが形成された板部材により構成でき、孔部１４ｃに係合部材１２が挿入状となって係合部２６と孔部１４ｃとが係合する。
【００２４】
さらに、係合部材１２は前記係合位置と前記開放位置との間で回動可能となるように取り付けられているが、係合位置から開放位置へ回動した係合部材１２が開放位置を越えてさらに倒れてしまうのを防止するよう、係合部材１２の回動を規制するためのストッパ部２７が設けられている。ストッパ部２７は、係合部材１２のうち取付部材２１に近い角部分とされており、図２から図３に示しているように、係合部材１２が係合位置から開放位置へ回動すると、ストッパ部２７が取付部材２１の一部（底面）に当接して、係合部材１２がそれ以上回動しないようされている。
【００２５】
係合部材１２は取付部材２１に回動の際に摩擦抵抗を有するよう取り付けられている。この摩擦抵抗は、係合部材１２がその位置で姿勢を保持することができる程度の摩擦力とされている。これにより、蓋体１０の閉状態において、不意に固縛部材１４と係合部材１２との係合が解けても、係合部材１２と蓋体１０のピン１１との係合が維持された状態であるため（係合部材１２が係合位置から回動しないため）直ぐに蓋体１０が開いてしまうのを防止できる。さらに、開状態において、係合部材１２が開放位置にある場合に、勝手に係合部材１２が回動して係合位置になるのを防止できる。
【００２６】
係合部材１２と一体的に形成されている作動部材１３は、開状態にある蓋体１０の閉動作により、この蓋体１０のピン１１と接触することができるように設けられており、係合部材１２を開放位置から係合位置へ回動させることができる。作動部材１３と係合部材１２とは同一部材から構成されているため、部品点数の削減、構成の簡素化が図れる。
作動部材１３を具体的に説明すると、係合部材１２の前記切り欠き部２２はＵ字型に切り欠かれた形状とされ、切り欠き部２２において前記当接面１５に対面する作動面２８が形成されており、係合部材１２のうちこの作動面２８を含む部分が作動部材１３とされている。
係合部材１２は、切り欠き部２２内において汚水タンク４の側壁面６から離れた側の当接面１５と、この当接面１５よりも前記側壁面６に近い側の作動面２８とを有していると言える。
【００２７】
図３に示しているように、係合部材１２が開放位置とされている状態において、作動部材１３の作動面２８は、閉じられる蓋体１０のピン１１に接触可能となるようピン１１の回動軌跡線と交差する位置に配置される。そして、図３の１点鎖線で示しているようにピン１１が作動面２８に接触し、さらに蓋体１０が排水口５を覆う閉状態となるよう閉じられると、ピン１１が作動面２８を押し、作動部材１３を矢印ｈの方向へ回動させ、係合部材１２を開放位置から係合位置へ自動的に回動させ、図２に示している閉状態とできる。
【００２８】
以上の実施形態に示した蓋構造体７において、蓋体１０を開く操作について説明する。
図２の閉状態から（Ａ）レバー部材２３を起立させる方向（矢印ｅ方向）に回動させて固縛部材１４と係合部材１２との係合を解除する（図２の２点鎖線の状態）。この際、固縛部材１４がレバー部材２３に摩擦抵抗を有して取り付けられていれば、固縛部材１４はレバー部材２３と共に回動して係合部材１２から離れた位置に自動的に移動する。（Ｂ）レバー部材２３をさらに引っ張ることで、蓋体１０のピン１１が係合部材１２の当接面１５を押して係合部材１２を開放位置へ回動させ、自動的にピン１１と係合部材１２との間の係合が解除され、蓋体１０が開く。蓋体１０が９０°開いた状態を図３の２点鎖線で示している。
【００２９】
次に、この蓋体１０を閉じる操作について説明する。
図３の開いている状態から（ａ）レバー部材２３を握って蓋体１０を閉方向に回動させると、蓋体１０のピン１１が作動部材１３（係合部材１２）の作動面２８に接触、押圧し、作動部材１３を矢印ｈの方向へ回動させ、係合部材１２を開放位置から係合位置へ自動的に回動させる。（ｂ）固縛部材１４の係合部１４ｂを係合部材１２の係合部２６に係合させる。（ｃ）レバー部材２３を起立状態から倒すよう回動させる（図２の実線の状態）。これにより、固縛部材１４が係合部材１２を拘束することができ、係合部材１２の当接面１５が蓋体１０のピン１１と係合して、蓋体１０が閉状態で固定（ロック）される。さらに、固縛部材１４の弾性機能により、固縛部材１４が係合部材１２に係合した状態に安定保持させることができ、蓋体１０が閉状態に維持される。
【００３０】
以上のような蓋構造体７を備えた汚水タンク構造によれば、蓋体１０を開く際は、係合部材１２を直接手で持って回動させる手動操作を不要として、係合部材１２を係合位置から開放位置へ回動させ、蓋体１０を開けることができる。そして、蓋体１０を閉じる際は、係合部材１２を直接手で持って回動させて蓋体１０に係合させる手動操作を不要として、係合部材１２を開放位置から係合位置へ自動的に回動させることができ、蓋体１０を閉状態とすることができる。つまり、蓋体１０の開閉操作が簡単となる。
【００３１】
また、このような開閉操作が容易とできる蓋構造体７として考えられる比較例を、図示しないが図２と図３を参照して説明すると、比較例として係合部材１２にバネなどの弾性部材を設けて、常時係合部材１２が開放位置へ付勢されているものが考えられる。この場合、蓋体１０を開く操作は、レバー部材２３を回動させて固縛部材１４と係合部材１２の係合を解くと、バネの力により係合部材１２は自動的に開放位置へ移動する。そして、蓋体１０を開くことができる。
蓋体１０を閉じる操作は、レバー部材２３を倒す動作の途中で、開放位置にある係合部材１２に固縛部材１４を係合させ、さらにレバー部材２３を倒すことで固縛部材１４が係合部材１２を係合位置へバネの力に抗して回動させ、係合部材１２が蓋体１０の一部を押さえ、閉状態に固定することができる。
しかし、この比較例の構成では、蓋体１０が閉じられた状態で、例えば何かに引っ掛かって過ってレバー部材２３が引き出されて起立状態となると、バネの力により係合部材１２は開放位置（ロック解除側）へ移動するため、即座に蓋体１０は自由に開くことができる。レバー部材２３が何かの拍子で引き出されてしまうと、特にこの蓋構造体７は汚水タンク４の側壁面６に取り付けられているため、塵芥収集車が走行しているうちに、勝手に蓋体１０が開いてしまうおそれがある。
一方、本発明の蓋構造体７を有する汚水タンク構造によれば、レバー部材２３が引き出されても、係合部材１２は係合位置に保持されたままであるため、直ぐに蓋体１０が開いてしまうのを防止できる。
【００３２】
本発明の汚水タンク構造は図示する形態に限らずこの発明の範囲内において他の形態のものであっても良く、図示した実施形態は係合部材１２と作動部材１３とを一体ものとして説明したが、これらを別体として先ず製造し、相互を固定してもよい。
また、汚水タンク４を塵芥投入箱３の下部に設ける以外にも、塵芥収容箱２の下部に汚水タンク４を設け、その汚水タンク４に前記蓋構造体７を取り付けてもよい。また、蓋体１０において、ピン１１を開閉アーム１７の先端部に固定する以外に、ピン１１を蓋本体部１６の背面（レバー部材２３側の面）に設けても良い。
【図面の簡単な説明】
【００３３】
【図１】本発明の一実施例による汚水タンク構造を備えた塵芥収集車の後部を示す側断面図である。
【図２】蓋体が閉状態にある蓋構造体を示す断面図である。
【図３】蓋体が開状態にある蓋構造体を示す断面図である。
【図４】汚水タンクにおける蓋体の取付部を示す図である。
【図５】汚水タンクにおける係合部材の取付部を示す図である。
【図６】従来の汚水タンク構造を示す図である。
【符号の説明】
【００３４】
２  塵芥収容箱
３  塵芥投入箱
４  汚水タンク
５  排水口
６  壁面（側壁面）
７  蓋構造体
１０  蓋体
１２  係合部材
１３  作動部材
１４  固縛部材
１５  当接面
【図１】
2006298511.tif 000003
【図２】
2006298511.tif 000004
【図３】
2006298511.tif 000005
【図４】
2006298511.tif 000006
【図５】
2006298511.tif 000007
【図６】
2006298511.tif 000008